(57)【要約】【課題】  リビング・ダイニングルームにいながら手洗い、花瓶の水の入れ替え等を行うことができ、キッチンや洗面ボウルでの諸作業に必要とされる光の補給を可能にする対面式厨房装置を提供すること。【解決手段】  キッチンとリビング・ダイニングルームとの境界に設置される対面式厨房装置において、シンク１をキッチン側に、洗面ボウル２をリビング・ダイニングルーム側に備え、シンクの背後からリビング・ダイニングルーム側に向かってカウンター３が設けられ、カウンターの下方に洗面ボウルが配置され、洗面ボウル上方のカウンターの天板６が回動自在とされるとともに、回動自在な天板に照明装置が組み込まれている。【選択図】 図１
2007029306.tif 000002
【特許請求の範囲】
【請求項１】
キッチンとリビング・ダイニングルームとの境界に設置される対面式厨房装置において、シンクをキッチン側に、洗面ボウルをリビング・ダイニングルーム側に備え、シンクの背後からリビング・ダイニングルーム側に向かってカウンターが設けられ、カウンターの下方に洗面ボウルが配置され、洗面ボウル上方のカウンターの天板が回動自在とされるとともに、回動自在な天板に照明装置が組み込まれていることを特徴とする対面式厨房装置。
【請求項２】
回動自在な天板の回動軸部分に照明装置が組み込まれている請求項１記載の対面式厨房装置。
【請求項３】
照明装置は、天板の閉時にキッチン側を照射し、開時に洗面ボウル側を照射する請求項２記載の対面式厨房装置。
【請求項４】
回動自在な天板の回動軸部分に照明装置が組み込まれ、照明装置は、光を遮断する開閉自在な遮光カバーを備えている請求項１記載の対面式厨房装置。
【請求項５】
照明装置は、天板の開閉に連動して点灯および消灯する請求項１記載の対面式厨房装置。
【発明の詳細な説明】
【技術分野】
【０００１】
本願発明は、対面式厨房装置に関するものである。
【背景技術】
【０００２】
住宅の間取りでは、キッチンとリビング・ダイニングルームを隣接させ、続き間とするのが主流となっている。この場合、キッチンに配設される厨房装置は、キッチンとリビング・ダイニングルームの境界に設置される対面式となっている。
【０００３】
対面式厨房装置は、調理、後片付け等のキッチンでの作業を開放感のある空間で行い、会話を交えた和やかな雰囲気で行うのを可能にしている。キッチンでの作業はリビング・ダイニングルームに向かって行うことができ、このため、開放感を味わえ、食器の配膳や後片付けは、対面式厨房装置に備えたカウンターを経由して行うことができる。
【０００４】
一方、厨房装置として、シンクと洗面ボウルを横に並設したものを本出願人は提案している（特許文献１）。特許文献１に記載された厨房装置は、間取りに余裕を持たせることができ、配管工事を簡単にすることができるという利点を有している。
【特許文献１】実願昭５７−１３９４５５号（実開昭５９−４４３４９号）のマイクロフィルム
【発明の開示】
【発明が解決しようとする課題】
【０００５】
厨房装置への洗面ボウルの組み込みは、対面式厨房装置にも要望され始めている。食事前の手洗い、食卓を飾る花の水の入れ替え等をわざわざ洗面所にまで行かなくとも、リビング・ダイニングルームにいながら簡単に済ませることができれば便利である。
【０００６】
しかしながら、先に提案した厨房装置は対面式厨房装置でなく、洗面ボウルがシンクの横に並設されているため、手洗い、花瓶の水の入れ替え等をするには、キッチンまで回り込む必要があり、使い勝手が良好でない。
【０００７】
また、キッチンや洗面ボウル側で諸作業を円滑に行うためには、シーリングライトからの光だけでは不十分であり、別の明かりが必要とされる。しかしながら、特許文献１に記載された厨房装置では、光の補給について考慮されていない。
【０００８】
本願発明は、このような事情に鑑みてなされたものであり、リビング・ダイニングルームにいながら手洗い、花瓶の水の入れ替え等を行うことができ、キッチンや洗面ボウルでの諸作業に必要とされる光の補給を可能にする対面式厨房装置を提供することを課題としている。
【課題を解決するための手段】
【０００９】
本願発明は、上記の課題を解決するために、第１には、キッチンとリビング・ダイニングルームとの境界に設置される対面式厨房装置において、シンクをキッチン側に、洗面ボウルをリビング・ダイニングルーム側に備え、シンクの背後からリビング・ダイニングルーム側に向かってカウンターが設けられ、カウンターの下方に洗面ボウルが配置され、洗面ボウル上方のカウンターの天板が回動自在とされるとともに、回動自在な天板に照明装置が組み込まれていることを特徴としている。
【００１０】
本願発明は、第２には、回動自在な天板の回動軸部分に照明装置が組み込まれていることを特徴としている。
【００１１】
本願発明は、第３には、照明装置は、天板の閉時にキッチン側を照射し、開時に洗面ボウル側を照射することを特徴としている。
【００１２】
本願発明は、第４には、回動自在な天板の回動軸部分に照明装置が組み込まれ、照明装置は、光を遮断する開閉自在な遮光カバーを備えていることを特徴としている。
【００１３】
本願発明は、第５には、照明装置は、天板の開閉に連動して点灯および消灯することを特徴としている。
【発明の効果】
【００１４】
本願の第１の発明によれば、洗面ボウルは、対面式厨房装置のリビング・ダイニングルーム側に配置されているため、食事前の手洗い、花瓶の水の入れ替え等をリビング・ダイニングルームで行うことができ、使い勝手に優れる。また、洗面ボウルの上方に配設された回動自在な天板に照明装置が組み込まれているため、キッチンや洗面ボウル側で行う諸作業に必要とされる光を補給することができる。
【００１５】
本願の第２の発明によれば、照明装置をコンパクトに組み込むことができ、照明装置の納まりが良好となる。
【００１６】
本願の第３の発明によれば、回動自在な天板の開閉にともない光を照射する領域を切り替えることができ、キッチン、洗面ボウルのいずれかの側に光を補給することができる。
【００１７】
本願の第４の発明によれば、遮光カバーの操作により光を照射する領域を変えることができる。
【００１８】
本願の第５の発明によれば、照明装置を点灯および消灯させる操作が容易になる。
【発明を実施するための最良の形態】
【００１９】
図１は、本願発明の対面式厨房装置の一実施形態を示した断面図である。
【００２０】
シンク１はキッチン側に、洗面ボウル２はリビング・ダイニングルーム側に設けられている。シンク１の背後からリビング・ダイニングルーム側に向かって一段高くなったカウンター３が設けられている。洗面ボウル２は、カウンター３の下方に配置されている。シンク１、洗面ボウル２のそれぞれにカラン４、５が設けられている。
【００２１】
図１に示した対面式厨房装置では、洗面ボウル２が、リビング・ダイニングルーム側に配置されているため、食事前の手洗い、花瓶の水の入れ替え等をリビング・ダイニングルームで行うことができ、使い勝手に優れている。
【００２２】
洗面ボウル２の上方に位置するカウンター３の天板６は、シンク１側の端部を回動の中心として上下に９０°の回動が自在となっている。回動機構は、たとえば、図２に示したものを採用することができる。
【００２３】
図２に示した回動機構では、天板６のシンク１側の端部の裏面側に切欠７が設けられ、切欠７に回動軸８が嵌め込まれるとともに、切欠７と平行に設けられた別の切欠９に、先端にクリック球１０を有するコイルバネ１１がクリック球１０とともに嵌め込まれる。クリック球１０は、コイルバネ１１の伸縮にともなって横方向に移動することができるようになっている。１２は、押え板であり、回動軸８およびコイルバネ１１の脱落を防止するために、天板６のシンク１側の端部に装着される。押え板１２はＬ字型の部材であり、側面には、回動軸８の先端部およびクリック球１０が外側に突出するように開口１３が形成されている。
【００２４】
また、図２に示した回動機構では、図１に示したカウンター３側に角度調整板１４が設けられる。角度調整板１４は、中心角が略９０°の扇形の形状を有し、角度調整板１４には、回動軸８が差し込まれる中心穴１５が形成され、その周りにクリック球１０の係合が可能な複数の係合穴１６が形成されている。係合穴１６は円弧状に配列されている。
【００２５】
したがって、図２に示した回動機構では、クリック球１０が複数の係合穴１６に順に係合、解除しながら、天板６は、上下に９０°回動する。このため、天板６の回動操作は、クリック感があり、良好である。また、クリック球１０を一つの係合穴１６に係合させると、天板６は一定角度に保持される。
【００２６】
このような回動機構等により回動自在とされた天板６には、図１に示したように、リビング・ダイニングルーム側の先端部に照明装置が組み込まれている。天板６が上方に９０°回動して開くと、照明装置は、洗面ボウル２に対置している人に向けて光を照射することができる。光の照射によって、洗面ボウル２側が明るくなり、諸作業に必要な光が補給される。たとえば、天板６の裏面には鏡１７を設けることができ、照明装置より人に光が照射されるため、鏡に映し出される像は鮮明で見やすくなり、化粧等に有効となる。
【００２７】
照明装置の点灯および消灯は、天板６の開閉に連動させたり、洗面ボウル２やカウンター３、さらに天板６等にスイッチを設け、手動で行ったりすることができる。天板６の開閉に連動させる場合には、天板６の位置を検知することでＯＮ/ＯＦＦを切り替えることができる。検知手段としては、接点スイッチ、非接触スイッチ、ロータリースイッチ等が適用される。照明装置の点灯および消灯を天板６の開閉に連動させると、照明装置の操作が容易となる。
【００２８】
図３＜ａ＞＜ｂ＞は、それぞれ、照明装置の一形態と光の照射状態を示した要部断面図である。図４は、図３＜ａ＞＜ｂ＞に示した照明装置を組み込んだ天板の周辺をキッチン側から見た要部正面図である。
【００２９】
照明装置１８は、回動自在な天板６の回動軸１９の部分に組み込まれている。光源２０および光源２０の周りに設けられた反射板２１が天板６に内蔵されている。また、透光カバー２２が天板６の端面の一部を形成するように配設されている。天板６の回動軸１９側の端面は断面略１/２円状に形成され、天板６の閉時（図３＜ａ＞）に下側に配置される断面略１/４円状の部分が透光カバー２２で形成されている。そして、天板６の回動軸１９側の端面に対向するカウンター３には、山型の傾斜面２３が形成されている。
【００３０】
図３＜ａ＞に示したように、天板６が水平に配置された状態、すなわち、天板６の閉時に、照明装置１８をＯＮにすると、光源２０から発せられる光は透光カバー２２を透過し、キッチン側を照らすことができる。図３＜ｂ＞に示したように、天板６を上方に９０°回動させた開時に照明装置１８をＯＮにすると、洗面ボウル２側を照射することができる。
【００３１】
このように、照明装置１８を天板６の回動軸１９の部分に組み込むことにより、照明装置１８をコンパクトに組み込むことができ、照明装置１８の納まりが良好となる。また、洗面ボウル２側だけでなく、キッチン側にも光を補給することができる。キッチンで行う諸作業に十分な光量を確保することができる。光を照射する領域を天板６の開閉にともない切り替えることができ、キッチン、洗面ボウル２のいずれかの側に光を補給することができる。照明装置１８のＯＮ/ＯＦＦを行う図４に示したスイッチ２４は、天板６において、キッチン側、洗面ボウル２側のどちらからも操作が可能な位置に設けることができる。
【００３２】
図５＜ａ＞＜ｂ＞＜ｃ＞＜ｄ＞は、それぞれ、照明装置の一形態と光の照射状態を示した要部断面図である。図６は、図５＜ａ＞＜ｂ＞＜ｃ＞＜ｄ＞に示した照明装置を組み込んだ天板の周辺をキッチン側から見た要部正面図である。
【００３３】
図５＜ａ＞＜ｂ＞＜ｃ＞＜ｄ＞に示した照明装置２５も、図３＜ａ＞＜ｂ＞に示した照明装置１８と同様に、回動自在な天板６の回動軸１９の部分に組み込まれている。一方、照明装置２５では、天板６の回動軸１９側の端面に光源２０が配設されるとともに、断面略１/２円状の透光カバー２２が配設されている。また、照明装置２５は、光を遮断する遮光カバー２６を備えている。遮光カバー２６は、断面略１/４円状の形状を有する部材であり、透光カバー２２に沿って移動することができるようになっている。透光カバー２２が遮光カバー２６によって覆われると、光は遮光カバー２６で遮断される。そして、カウンター３には、天板６の回動軸１９側の端面に対向する部分に山型の傾斜面２３が形成されている。
【００３４】
図５＜ａ＞に示したように、天板６の閉時に遮光カバー２６を透光カバー２２の上半分を覆うように配置する。この状態において、照明装置２５をＯＮにすると、光源２０から発せられる光はキッチン側に向かい、キッチン側に光が補給される。キッチン側が明るくなる。遮光カバー２６を動かさずに、天板６を上方に９０°回動させて開けると、図５＜ｂ＞に示したように、キッチン側に向かう光が遮光カバー２６により遮断され、光は、洗面ボウル２側に向かい、洗面ボウル２側に光が補給される。洗面ボウル２側が明るくなる。
【００３５】
図５＜ｂ＞に示したように、天板６を開状態としたままで、遮光カバー２６を洗面ボウル２側に９０°移動させる。この場合には、図５＜ｃ＞に示したように、洗面ボウル２側に向かう光が遮られ、光は、キッチン側に向かう。キッチン側に光が補給される。また、図５＜ｂ＞に示したように、天板６を開状態としたままで、図５＜ｂ＞と図５＜ｃ＞に示した位置の中間に遮光カバー２６を配置させると、図５＜ｄ＞に示したように、光は、キッチン側、洗面ボウル２側の両方に向かい、キチン側および洗面ボウル２側をともに照射する。たとえば、リビング・ダイニングルーム側からキッチン側を隠したい場合、天板６を開け、立てた状態にすることができるが、この場合にも、図５＜ａ＞＜ｂ＞＜ｃ＞＜ｄ＞および図６に示した照明装置２５では、キッチン側に光を補給することができる。また、キッチン側と洗面ボウル２側とで同時に作業を行う場合、それぞれの側に光を補給することもできる。このように、照明装置２５では、遮光カバー２６の操作により光を照射する領域を変えることができる。
【００３６】
遮光カバー２６の開閉は、たとえば、図６に示したように、レバー２７によって行うことができ、レバー２７は、天板６において、キッチン側、洗面ボウル２側のどちらからも操作することができる位置に配置することができる。
【図面の簡単な説明】
【００３７】
【図１】本願発明の対面式厨房装置の一実施形態を示した断面図である。
【図２】天板の回動機構を例示した要部分解斜視図である。
【図３】＜ａ＞＜ｂ＞は、それぞれ、照明装置の一形態と光の照射状態を示した要部断面図である。
【図４】図３＜ａ＞＜ｂ＞に示した照明装置を組み込んだ天板の周辺をキッチン側から見た要部正面図である。
【図５】＜ａ＞＜ｂ＞＜ｃ＞＜ｄ＞は、それぞれ、照明装置の一形態と光の照射状態を示した要部断面図である。
【図６】図５＜ａ＞＜ｂ＞＜ｃ＞＜ｄ＞に示した照明装置を組み込んだ天板の周辺をキッチン側から見た要部正面図である。
【符号の説明】
【００３８】
１    シンク
２    洗面ボウル
３    カウンター
４、５    カラン
６    天板
７    切欠
８    回動軸
９    切欠
１０    クリック球
１１    コイルバネ
１２    押え板
１３    開口
１４    角度調整板
１５    中心穴
１６    係合穴
１７    鏡
１８    照明装置
１９    回動軸
２０    光源
２１    反射板
２２    透光カバー
２３    傾斜面
２４    スイッチ
２５    照明装置
２６    遮光カバー
２７    レバー
【図２】
2007029306.tif 000003
【図３】
2007029306.tif 000004
【図４】
2007029306.tif 000005
【図５】
2007029306.tif 000006
【図６】
2007029306.tif 000007
【図１】
2007029306.tif 000008